(57)【要約】【課題】外表面にフレキシブルなディスプレイを設けることによって、模様を替えたり、広告宣伝のための画像を表示したりすることができるバッグを提供する。【解決手段】バッグ１００のシート１０１の外表面に取り付けたフレキシブルなディスプレイ２と、ディスプレイ２を作動し表示を制御する表示制御装置３とを備え、表示制御装置３は、画像データを記憶する記憶部と、ディスプレイ２に表示させるための画像データを記憶部から取り出し、この画像データをディスプレイ２に送信する中央制御部とを含み構成される。【選択図】図１
2011010766.tif 000002
【特許請求の範囲】
【請求項１】
バッグの外表面に取り付けたフレキシブルなディスプレイと、
前記ディスプレイを作動し表示を制御する表示制御装置とを備え、
前記表示制御装置は、画像データを記憶する記憶部と、前記ディスプレイに表示させるための画像データを前記記憶部から取り出し、この画像データを前記ディスプレイに送信する中央制御部とを含み構成される、
ことを特徴とするバッグ。
【請求項２】
前記バッグは、前記ディスプレイに表示させる画像の選択のための入力手段を備えるとともに、前記表示制御装置はさらに前記入力手段を制御する入力手段制御部を含み、
前記記憶部に格納されているか又は前記表示制御装置に接続の外部記憶媒体に格納されている画像データ群から前記入力手段を介して、単一画像データあるいは定期的に切替えて表示するための複数画像データを選択し、前記ディスプレイに送信して表示させることを特徴とする請求項１に記載のバッグ。
【請求項３】
前記入力手段がバッグの外表面に取り付けられ、前記表示制御装置と前記入力手段とがケーブル、赤外線あるいは無線で接続されていることを特徴とする請求項２に記載のバッグ。
【発明の詳細な説明】
【技術分野】
【０００１】
外表面にフレキシブルなディスプレイを取り付けることによって、模様を替えたり、広告宣伝のための画像を表示したりすることができるバッグに関するものである。
【背景技術】
【０００２】
バッグは実用品であるとともに、女性にとっては衣服やアクセサリーと同様のファッション用品でもある。そのため、表面に模様や絵柄等のデザインが施され、装飾効果の向上が図られている。魅力的な商品が満ち溢れてくればなお一層、消費者の心を引き付けるためのデザイン上の工夫が重要となってくる。
実用新案登録第３１４４６９７号公報（特許文献１）は、光り反射効果を有する模様を備えた「シート状生地及びシート状生地を用いた縫製加工品」を開示している。この考案は、合成樹脂製のシートに、ホログラムフィルムやミラージュフィルムといった光りの反射・屈折効果を有するフィルムを貼り合わせて形成したことを特徴とし、このシートを用いたバッグは色彩や輝きが変化し視覚的にインパクトのあるものとなっている。
【先行技術文献】
【特許文献】
【０００３】
【特許文献１】実用新案登録第３１４４６９７号公報
【発明の概要】
【発明が解決しようとする課題】
【０００４】
しかしながら、特許文献１の縫製加工品（特にバッグ）は、光の加減や見る角度によって異なる印象を与えるとはいえ、付されている模様が固定的であることに変わりはない。確かに最初は人の目を引く効果は高いが、付されている模様が常に同じである以上、すぐに人は馴れてしまう。そのため、特許文献１のバッグは、人の目を引く効果が高いとはいえ、その効果に限界があった。
【０００５】
このような問題点に鑑み、本発明はバッグの表面に静止画のみならず動画の表示も可能で、しかも画像の変更表示が容易にできるバッグを提供することを目的とする。
【課題を解決するための手段】
【０００６】
上記の目的を達成するために、請求項１に係る発明は、バッグであって、
バッグの外表面に取り付けたフレキシブルなディスプレイと、前記ディスプレイを作動し表示を制御する表示制御装置とを備え、
前記表示制御装置は、画像データを記憶する記憶部と、前記ディスプレイに表示させるための画像データを前記記憶部から取り出し、この画像データを前記ディスプレイに送信する中央制御部とを含み構成される、
ことを特徴とする。
これにより、印象が強く、ファッション性のすぐれたバッグを提供できる。しかも、通常のバッグとしての用途に限らず、広告宣伝手段としての利用も考えられる。
【０００７】
本発明において「バッグ」とは、ハンドバッグ、ショルダーバッグ、トートバッグ、ランドセル等の荷物を収納して持ち歩き可能な手回り品の一切を含み、形状、大きさや素材を問わない。また、ハンドバッグに入りきらない荷物を入れる紙やビニール製の手提げ袋類も含む。
「外表面」には、シート状の底面や側面などの外方に面する側に限らず、帯状の手提げ部分や肩掛け部分の表面も含む。
「フレキシブルなディスプレイ」には、ＥＬ（エレクトロルミネッセンス）ディスプレイ、折り曲がる液晶ディスプレイなどがある。
ディスプレイに表示させる画像には、静止画と動画のいずれも含まれる。
【０００８】
上記の目的を達成するために、請求項２に係る発明は、請求項１に記載のバッグにおいて、
前記バッグは、前記ディスプレイに表示させる画像の選択のための入力手段を備えるとともに、前記表示制御装置はさらに前記入力手段を制御する入力手段制御部を含み、
前記記憶部に格納されているか又は前記表示制御装置に接続の外部記憶媒体に格納されている画像データ群から前記入力手段を介して、単一画像データあるいは定期的に切替えて表示するための複数画像データを選択し、前記ディスプレイに送信して表示させることを特徴とする。
これにより、バッグ表面の模様を替えたり、バッグ表面に任意の映像を表示させたりでき、しかも、表示の切替が容易である。
なお、入力手段として主なものは、操作ボタンである。
【０００９】
上記の目的を達成するために、請求項３に係る発明は、請求項２に記載のバッグにおいて、前記入力手段がバッグの外表面に取り付けられ、前記表示制御装置と前記入力手段とがケーブル、赤外線あるいは無線で接続されていることを特徴とする。
これにより、バッグを開けたり、バッグから表示制御装置を取り出したりしなくても、入力手段を操作できるので、容易かつ迅速に画像を変更できる。
【発明の効果】
【００１０】
バッグ表面の模様を可変にできるので、そのときの衣服や靴などに合わせたバッグを携帯することができ、複数のバッグを持っているのと同様の効果が得られる。表示させる画像データの適切な選択によって、バッグの意匠的価値が向上し、他のバッグとの差別化を図ることも可能となる。また、自分が撮影した画像を表示させたりすれば、世界にたった一つしかないバッグとなる。顧客は自分だけの世界を創造し、演出するわけである。
静止画に限らず動画も表示でき、見る人の印象に強く残るので、個性的なお洒落が楽しめる。また、新製品のキャンペーンとして宣伝スタッフに試供品を入れたこのバッグを持たせたりすると、広告宣伝効果が高まる。
【図面の簡単な説明】
【００１１】
【図１】実施の形態のバッグの構成を説明する図である。
【図２】実施の形態の表示制御装置のブロック図である。
【図３】実施の形態のバッグの表面模様が可変であることを示す図である。
【発明を実施するための形態】
【００１２】
図面を参照しながら、本実施の形態のバッグについて説明する。
図１のバッグ１００は通常のバッグである。本実施形態のバッグ１は、バッグ１００のシート１０１の外方に面する側にフレキシブルなディスプレイ２を取り付け、バッグ１００の内側に表示制御装置３を設けたものである。ディスプレイ２はフレキシブルなので、シート１０１に合わせて自在に形が変化する。
ディスプレイ２と表示制御装置３とは、図示しないケーブルによって電気的に接続されている。また、バッグ１には、表示制御装置３とディスプレイ２に電力を供給する電池（図示せず）も取り付けられている。
図１では、ディスプレイ２は１つの側面１０１にのみ取り付けてあるが、バッグ表面の全体に取り付けてもよい。一部分に設ける場合も、底面を除く側面全体、物品収納口を覆う蓋部、ショルダーバッグの肩掛け部分など種々が考えられる。要は、そのバッグの形状、用途あるいは装飾的な効果を考慮して決めればよい。
【００１３】
図２は、表示制御装置３の機能ブロック図である。
表示制御装置３は、中央制御部（ＣＰＵ）４と、記憶部５と、表示制御部６と、入力手段制御部７と、外部記憶媒体制御部８とを含み構成される。
中央制御部４は、ディスプレイ２に画像を表示させたり、消去させたり、表示画像を変更させたりする処理を行うとともに、表示制御装置３の他の各部の動作を制御する。
記憶部５は、いわゆる内部メモリであって、任意個数の画像データを記憶するとともに、必要なパラメータや中央制御部４が実行するプログラム等も記憶する。
表示制御部６は、ディスプレイ２の動作を制御する。記憶部５から読み出された画像データは、表示制御部６を介してディスプレイ２に送信され表示される。
入力手段制御部７は、入力手段９と中央制御部４とのインターフェースの役割を果たす。
入力手段９は、表示制御装置３に内蔵していてもよいが、外部に設けてもよい。図１に例示するように、入力手段９を肩掛け部分などの手動による操作がしやすい箇所に設けると便利である。なお、図１では入力手段９と表示制御装置３とを接続するケーブルの図示は省略している。
外部記憶媒体制御部８は、外部記憶媒体１０を挿入するいわゆる入出力ポートに相当する。ディスプレイ２に表示する画像データは、記憶部５あるいは外部記憶媒体１０のいずれかに記憶されていればよい。
【００１４】
次に、本実施形態のバッグの効果的な用途について説明する。
第１は、通常の外出用バッグとしての用途である。ＴＰＯおよび衣服にあわせてディスプレイに表示される絵柄などを適宜変更する。
バッグの形状は、内部に物を収納するという機能を果たす上から極端に相違するものではなく、よほど個性的な形状でないかぎり特に目立たない。一方、絵柄の変更は目立つので、絵柄を替えただけで同一のバッグが別のバッグのように見える。記憶部にＮ種類の絵柄に対応する画像データを記憶させておくならば、Ｎ個のバッグを持っているのも同然である。
例えば、図３では、左右のバッグは同一のバッグであるが、ディスプレイ２に表示させる絵柄を花柄（図３の左側）とヒョウ柄（右側）に相互に変更可能である。同一のバッグでも絵柄の変更により全く異なって見えることが、この例からもよくわかる。
バッグ１は、今までにない斬新なバッグであるが、用いるディスプレイは薄く軽くしかもフレキシブルなので、通常のバッグの素材である厚手の布地や革とも、感触はさほど変らない。
【００１５】
ここで、絵柄の変更は次のようにする。
内蔵の記憶部５に記憶されている画像データに変更する場合は、操作ボタン９を操作して所望の画像データを選択すればよい。操作の仕方は、デジタルフォトフレームやＤＶＤプレーヤーと同様である。中央制御部４は選択された画像データを記憶部５から読み出し、ディスプレイ２に転送する。これにより、バッグ１の絵柄は瞬時に切替えられる。
あるいは、ＵＳＢメモリのような外部記憶媒体１０を表示制御装置３のポートに挿入し、格納されているファイルを中央制御部４がディスプレイ２に転送してもよい。
【００１６】
フレキシブルなディスプレイをシートの表面に取り付けてファッション性を高めたり、宣伝手段としたりする点は、バッグに限らず、エプロンやジャンパーなどの衣服、サンバイザーといった人が身につける物全般に適用できる。
ただし、衣服に適用する場合とバッグに適用する場合とでは効果はまったく異なる。
衣服の場合、その一部だけにディスプレイを取り付けてもＴＰＯでの使い分けは困難である。それではほとんど印象は変わらない。それに比べて単純な形状のバッグの場合、服装に合わせてバッグの模様を替えることにより、ＴＰＯに合わせた利用が可能となる。
服や靴が同じでも、バッグの模様を替えることによって、子どもの授業参観、バーティー、旅行等のそれぞれにふさわしいコーディネートが容易にでき、しかも他人の印象に残る。
また、衣類にディスプレイを取り付ける場合、その設計・製造が難しくなる。
例えば、表示制御装置３をどこに設置するかが問題であるし、着用者の好み、他人に与える印象、製造の難易度など考慮すべき点も多い。その点バッグであれば、例えば図１のように内側底部に設けたり、あるいは内側側面や外側側面に設けたりするなど頭を悩ますことはさほどない。
さらに、衣服の場合どうしてもコストがかかる。その割に効果はさほどでもないから需要も一部の層に限られてくると推測される。
【００１７】
このバッグの第２の用途は、広告宣伝手段としての用途である。
例えば、広告宣伝のために、このバッグを持たせたスタッフに繁華街を歩かせたり、イベントに参加させたりするとよい。画像としては、商品の宣伝や、コマーシャルフィルムの表示があり、動く広告塔となって、優れた広告宣伝媒体として機能する。
また、新製品が発売されると試供品が配布されることが多いが、駅頭などの雑踏でスタッフに本実施形態のバッグを持たせ、このバッグに入れた試供品を配らせると効果的である。何を配っているのかがわからないと、受け取るのを躊躇する人も多い。しかし、本実施形態のバッグ１に入れて配れば、遠くからでも何かがわかる。当該新製品の印象的なＣＭを表示したりすれば道行く人の目を引き付けることができ、試供品を受け取る人が増えると予想される。
ここで、スタッフにその新製品に適した衣装をそろえて宣伝効果を図ってもよい。しかし、異なる新製品の宣伝のために、製品が変わる毎に衣装を揃えることはコスト面の負担が大である。しかし、本実施形態のバッグであれば、製品ごとに画像データを用意して記憶部に格納すればよいのでコスト面からも有利である。
【００１８】
前記の実施の形態は、あくまで例示にすぎない。
画像の変更も操作ボタンによらずに、例えば、何らかのアルゴリズムによって画像を選択して表示を行うプログラムを記憶部５に格納しておき、中央制御部４がこのプログラムを実行するようにしてもよい。
あるいは、表示制御装置３は中央制御部４に接続されたセンサーを備え、そのセンサーからの信号に応じて表示させる画像データを中央制御部４が選択するようにしてもよい。
また、表示制御装置３に外部との通信インターフェースを追加し、操作ボタンと赤外線や無線で接続するようにしてもよい。
【産業上の利用可能性】
【００１９】
表面の模様の瞬時な変更が可能であったり、動画像の表示が可能であったりする斬新なバッグを提供できるため、当該バッグへの需要が期待できる。また、手ごろで斬新な広告宣伝手段として、種々の業界に利用される可能性がある。
【符号の説明】
【００２０】
１  バッグ
２  ディスプレイ
３  表示制御装置
４  中央制御部
５  記憶部
６  表示制御部
７  入力手段制御部
８  外部記憶媒体制御部
９  入力手段
１０  外部記憶媒体
【図１】
2011010766.tif 000003
【図２】
2011010766.tif 000004
【図３】
2011010766.tif 000005